(57)【特許請求の範囲】
【請求項１】
土壌表面に堆積した放射性物質を取り除いて除染する土壌表面除染装置であって、
前記土壌表面に水を噴射し、土壌と水が混在したスラリー流を生成する水噴射部と、
前記スラリー流を受け取るスラリー受皿部と、
を有する土壌表面採取部と、
前記スラリー受皿部内のスラリーを、水と土壌に分離する分離部と、
前記分離された水から前記放射性物質を取り除く除染部と、
を有する土壌除染部と、
を有し、
前記土壌表面採取部は、前記水噴射部が水を噴射する前に土壌を耕す熊手部をさらに有し、
前記熊手部が掘った土壌の耕起面に、前記水噴射部から水を噴射し、前記水と前記土壌の混ざったスラリーを巻き上げて前記土壌中の前記放射性物質を前記水に溶け込ませて、前記スラリーを前記スラリー受皿部に受け取り、前記土壌中の放射性物質を回収することを特徴とする土壌表面除染装置。
【請求項２】
前記除染部で除染された水は前記水噴射部へ送られ、噴射用の水として再利用されることを特徴とする請求項１に記載の土壌表面除染装置。
【請求項３】
前記土壌除染部は、前記分離部で分離された土壌を土壌の表面上へ返して再利用する回収土保管部をさらに有することを特徴とする請求項１または２に記載の土壌表面除染装置。
【請求項４】
前記土壌表面採取部は車両の運転台の前面に備わり、前記土壌除染部は前記車両に搭載されることを特徴とする請求項１から３のいずれかに記載の土壌表面除染装置。
【発明の詳細な説明】
【技術分野】
【０００１】
本発明は、汚染された土壌の表面をウォータージェットにより削り取り、回収された水と土壌の混合物から汚染物質を分離して除染することにより、分離された水及び土壌のその場での再利用を可能とした土壌表面除染装置に関するものである。
【背景技術】
【０００２】
自然災害などにより特定の施設の内部に存在する汚染物質が大気中に放出された場合には、その汚染物質は施設周囲の一定の範囲内に拡散して土壌表面に堆積する。この場合には、周囲の土壌表面から汚染物質を取り除く作業、いわゆる除染作業が行われる。
【０００３】
従来の土壌の除染作業は、例えば、ブルドーザーなどにより土壌表面を削り取る作業が行われる。しかしながら、このような作業では、削り取った土の処分のために、輸送・保管場所の確保が必要となり、現実的には、削り取った土を除染作業を行った場所の片隅に山積みにしてビニールシートを被せて放置されることが多い。また、削り取った土を補う新しい土を別の場所から輸送し、敷き詰める必要もある。
【０００４】
また、土壌表面ではないが、道路表面の土砂を回収する装置として、道路表面に水を噴射して土砂を回収する装置がある（例えば、特許文献１参照）。
【先行技術文献】
【特許文献】
【０００５】
【特許文献１】特開2009-7823
【発明の概要】
【発明が解決しようとする課題】
【０００６】
しかしながら、特許文献１の装置では水と土砂は分離されるものの、汚染物質は分離されない。このため、土壌表面が汚染物質により汚染されている場合には、回収された土と水を再利用することはできない。したがって、回収された土壌は、グランドの隅にブルーシートをかけて積みかされられるなどして隔離して保管され、水も別途設けたタンクにて隔離して保管する必要がある。
【０００７】
本発明は、このような従来の問題を解決するためになされたもので、土壌を除染しつつ、水及び土壌の再利用もその場で可能とする土壌表面除染装置を提供しようとするものである。
【課題を解決するための手段】
【０００８】
本発明は、土壌表面に堆積した放射性物質を取り除いて除染する土壌表面除染装置であって、土壌表面に水を噴射し、土壌と水が混在したスラリー流を生成する水噴射部と、スラリー流を受け取るスラリー受皿部と、を有する土壌表面採取部と、スラリー受皿部内のスラリーを、水と土壌に分離する分離部と、分離された水から放射性物質を取り除く除染部と、を有する土壌除染部と、を有し、土壌表面採取部は、水噴射部が水を噴射する前に土壌を耕す熊手部をさらに有し、熊手部が掘った土壌の耕起面に、水噴射部から水を噴射し、水と前記土壌の混ざったスラリーを巻き上げて土壌中の放射性物質を水に溶け込ませて、スラリーをスラリー受皿部に受け取り、土壌中の放射性物質を回収することを特徴とする。
【発明の効果】
【０００９】
本発明の土壌表面除染装置によれば、回収された水及び土は除染されるため、水及び土の再利用が可能となる。加えて、汚染物は除染用のフィルターのみとなるため、汚染物の処分が容易となる。
【図面の簡単な説明】
【００１０】
【図１】本発明の実施形態の土壌表面除染装置を示す図である。
【図２】本発明の実施形態の土壌表面採取部の構成を示す斜視図である。
【図３】本発明の実施形態の土壌表面採取部の動作を示す図である。
【発明を実施するための形態】
【００１１】
以下、本発明の実施形態である土壌表面除染装置について、図を参照して詳細に説明をする。
【００１２】
図１は、本発明の実施形態の土壌表面除染装置を示す図である。図に示すように、本実施形態の土壌表面除染装置１はトラックに搭載・設置されて構成される。これにより、本実施形態の土壌表面除染装置１は、汚染された土壌表面を任意に移動することが可能となる。
【００１３】
また、本実施形態の土壌表面除染装置１は、トラックの運転台２の正面に設けられた土壌（等）表面採取部１００とトラックの荷台に設けられた土壌除染部２００により構成される。なお、本実施形態では、装置一式をトラックに積んでいるが、例えば、スラリーの回収までをトラックに積み、それ以降のシステムを別のトラックに積む等して、分離することで、回収部の小型化が可能となる。
【００１４】
（土壌表面採取部の構成）
本実施形態の土壌表面採取部１００は、熊手部１０１、水噴射管１０２、及び、スラリー受皿部１０３を含んで構成される。
【００１５】
図２は、本実施形態の土壌表面採取部１００の構成を示す斜視図である。熊手部１０１、水噴射管１０２、及び、スラリー受皿部１０３は、それぞれアーム１０４、１０５、１０６により運転台２に取り付けられる。アーム１０４、１０５、１０６が揺動することにより、熊手部１０１、水噴射管１０２、及び、スラリー受皿部１０３の土壌表面に対する高さ調整（クリアランス調整）が可能であるとともに、不使用時には上に退避させることも可能である。
【００１６】
水噴射管１０２には、配管Ｐ2の一端が接続し、後述する流量調整式加圧ポンプ２１６が配管Ｐ2の他端に接続し互いに連通する。スラリー受皿部１０３には、配管Ｐ1の一端が接続し、後述するスラリー回収エアバキュームポンプ２０１が配管Ｐ1の他端に接続し、互いに連通する。
【００１７】
図３は、本実施形態の土壌表面採取部１００を示す図である。図３に示すように、熊手部１０１は、複数の熊手刃１０１ａを備え、熊手部１０１の下降時に熊手刃１０１ａの先端が土壌表面に突き刺さり土壌を耕す。水噴射管１０２は、略中空のパイプであり、複数の噴射ノズル１０２ａを備え、流量調整式加圧ポンプ２１６からの水が噴射ノズル１０２ａから土壌表面に噴射される。スラリー受皿部１０３は、略皿上の部材であり、スラリー受皿部１０３の前方に回収したスラリーを堰き止める突起部１０３ａを有し、その後方を回収したスラリーを受ける容器状としている。
【００１８】
（土壌除染部の構成）
図１に戻り、本実施形態の土壌除染部２００は、スラリー回収エアバキュームポンプ２０１、スラリー回収タンク２０２、スラリーポンプ２０３、デカンター式遠心分離機２０４、渦巻きポンプ２０５、回収土保管器２０６、汚染水タンク２０７、加圧ポンプ２０８、除染フィルター２０９、水一時貯蔵タンク２１０、抜き取りバルブ２１１、汚染モニター２１２、バルブ２１３、渦巻きポンプ２１４、水タンク２１５、及び、流量調整式加圧ポンプ２１６を含んで構成される。
【００１９】
スラリー回収エアバキュームポンプ２０１は、スラリー受皿部１０３と配管Ｐ1を介して接続しスラリー回収タンク２０２に備わる。なお、本明細書では、スラリーを、水、汚染物質、土壌が混合した流体と定義する。エアバキュームポンプは、第１の挿入口がコンプレッサ等の圧縮エア発生器に接続し、第２の挿入口がスラリー回収タンク２０２に接続したエジェクタを備え、圧縮エアをエジェクタの第１の挿入口に挿入して、エジェクタの排出口からエアを排出することにより、スラリー回収タンク２０２内に負圧を発生させ、スラリーを吸い込む。
【００２０】
スラリーポンプ２０３は、スラリー回収タンク２０２に接続し、スラリー回収タンク２０２内のスラリーを、配管を介してデカンター式遠心分離機２０４へ送り出す。
【００２１】
デカンター式遠心分離機２０４は、スラリーを遠心分離して、水と土壌に分離する。なお、遠心分離法はデカンター式に限られず、ディスク型などを使用しても良い。
【００２２】
渦巻きポンプ２０５は、配管を介してデカンター式遠心分離機２０４と接続し、デカンター式遠心分離機２０４で分離された水を、配管を介して汚染水タンク２０７へ送り出す。
【００２３】
回収土保管器２０６は、配管を介してデカンター式遠心分離機２０４と接続し、デカンター式遠心分離機２０４で分離された土壌を一時保管する。
【００２４】
汚染水タンク２０７は、汚染水を一時保管するタンクであり、汚染水タンク２０７内の汚染水は、加圧ポンプ２０８により配管を介して、除染フィルター２０９に送られる。
【００２５】
除染フィルター２０９は、汚染水から汚染物質を取り除き、浄化された水を生成する。除染フィルター２０９には、例えば、逆浸透膜フィルター式の浄水器を用いることができる。逆浸透膜フィルターを用いることにより、ヨウ素、セシウム、ストロンチューム等の放射性物質を除去することが可能となる。
【００２６】
水一時貯蔵タンク２１０は、配管を介して除染フィルター２０９と接続し、除染フィルター２０９で浄化された水を一時的に貯蔵する。
【００２７】
抜き取りバルブ２１１は、水一時貯蔵タンク２１０と汚染モニター２１２との間の配管に設けられ、水を外部へ抜き取ることが可能である。後述する汚染モニター２１２により汚染が残っていることが確認された場合には、再度除染フィルター２０９を通して除染する。
【００２８】
汚染モニター２１２は、水一時貯蔵タンク２１０からの水の汚染度合いを測定する装置であり、除染された水が、通常水（汚染されていない水）として扱えるか否かをチェックする。汚染物質が放射性物質の場合には、汚染モニター２１２には線量計を用いることが可能である。
【００２９】
バルブ２１３は、汚染モニター２１２と渦巻きポンプ２１４との間の配管に設けられ、汚染モニター２１２からの水を遮断し、また、導通させることが可能である。
【００３０】
渦巻きポンプ２１４は、水一時貯蔵タンク２１０内の水を汚染モニター２１２、バルブ２１３、及び配管を介して、水タンク２１５へ送り込む。
【００３１】
水タンク２１５には浄化された水が貯蔵され、浄化された水は流量調整式加圧ポンプ２１６により配管Ｐ2を介して、水噴射管１０２へ送られる。
【００３２】
（装置の動作）
次に、本実施形態の土壌表面除染装置による除染方法の手順を示す。本実施形態では、平坦な土壌を主体とする土地を対象とする。本実施形態では、汚染物質として特に放射性物質を例として説明するが汚染物質はこれに限られるものではなく、土と化学反応しない汚染物質の除去であれば本装置を使用することが可能である。
【００３３】
まず、除染対象とする土地の表面の汚染状態を測定する。放射性物質による汚染の場合には線量計が用いられる。そして、デジタル土壌硬度計を用いて土地の表面硬さを測定する。次に、局部的に土地を掘り汚染深さを測定する。
【００３４】
図３は、本実施形態の土壌表面採取部１００の動作を示す図である。上記測定した汚染深さに応じて、熊手部１０１の熊手刃１０１ａの先端による掘る深さをアーム１０４により調整し、決まった深さに土地を平坦面Ｄから耕起面Ｅへ耕す。
【００３５】
次に、熊手部１０１が掘った耕起面Ｅの深さに応じて、水噴射管１０２の噴射ノズル１０２ａの角度及び水圧を調整して噴射し（図中のＡ）、水と土の混ざったスラリーを巻き上げる（図中のＢ）。その時に出来る跳ね上がりスラリーをスラリー受皿部１０３に受け採り回収する（図中のＣ）。例えば、放射性ヨウ素、放射性セシウム等の放射性物質は水溶性であるため、水によりスラリーを巻き上げることにより、水に放射性物質が溶け込むため、効率的に汚染物質を回収することが可能となる。
【００３６】
熊手部１０１で掘る代わりに、土の硬さに応じて、噴射ノズル１０２ａの水の噴射角度と水圧を調整し、さらに深く掘る場合には、土に対する角度を水平から直角方向へ大きくし、若しくは、水圧を大きくし、ある深さまで一気に除染してもよい。
【００３７】
スラリー受皿部１０３に回収されたスラリーは、スラリー回収エアバキュームポンプ２０１によりスラリー回収タンク２０２に蓄積され、さらに、スラリーポンプ２０３により、デカンター式遠心分離機２０４へ移動する。
【００３８】
デカンター式遠心分離機２０４では、スラリーは水と土に分離される。放射性ヨウ素、放射性セシウム等の放射性物質は水溶性であるため、汚染物質は水と共に次の工程へ運ばれ、土についてはこの時点で除染がなされる。
【００３９】
デカンター式遠心分離機２０４で分離された水は、渦巻きポンプ２０５、汚染水タンク２０７、加圧ポンプ２０８を介して除染フィルター２０９へ送られ、水が除染される。汚染モニター２１２による検査の結果、除染が不十分な場合には再除染を行う。また、除染に使用したフィルターは汚染物として汚染程度に応じて、規定の処理を行う。
【００４０】
デカンター式遠心分離機２０４で分離された土は、回収土保管器２０６に回収され、除染を行っている土壌の表面上へ返す。また、その場所へ土を返す必要がなければ、そのまま保管するか、または、他の場所に運搬し、通常の土壌として活用できる。
【００４１】
以上説明したように、本実施形態の土壌表面除染装置によれば、土壌表面近傍の土の除染が効率的に出来る。また、土は元の場所へ返すので、新たな土の輸送は必要が無い。さらに、水も再利用できるため水タンクを小さくでき、省資源に対応している。
【００４２】
また、従来のブルドーザーによる除染方式では、土を削って除去するため汚染物が非常に多くなり、その処理に困ることになるが、本実施形態の土壌表面除染装置では、回収された水、土は除染されてその場で再利用できるため、汚染物はフィルターのみと非常に少なくなり、汚染物の処分が容易である。さらに、従来のブルドーザーによる除染方式により、既に削って集められた土壌についても、水と混ぜ合わせてスラリー状とし、スラリー回収タンク２０２へ投入し、本実施形態の土壌表面除染装置により処理して除染することで、元あった場所に戻すことができる。この他、下水処理で発生した汚染された汚泥や、側溝等にたまりスコップ等でかき出された汚泥についても、本実施形態の土壌表面除染装置にかけることで、同じように除染することができる。
【００４３】
また、本実施形態の土壌表面除染装置は土壌表面のみならず、草地にも同様に適用可能である。すなわち、草を刈り取った後、或いは草を根から抜きとった後、同じような対応をすれば可能である。
【符号の説明】
【００４４】
１：本実施形態の土壌表面除染装置
１００：土壌表面採取部
１０１：熊手部
１０２：水噴射管
１０３：スラリー受皿部
２００：土壌除染部
２０１：スラリー回収エアバキュームポンプ
２０２：スラリー回収タンク
２０３：スラリーポンプ
２０４：デカンター式遠心分離機
２０５：渦巻きポンプ
２０６：回収土保管器
２０７：汚染水タンク
２０８：加圧ポンプ
２０９：除染フィルター
２１０：水一時貯蔵タンク
２１１：抜き取りバルブ
２１２：汚染モニター
２１３：バルブ
２１４：渦巻きポンプ
２１５：水タンク
２１６：流量調整式加圧ポンプ
【図１】
0005839902.tif 000002
【図２】
0005839902.tif 000003
【図３】
0005839902.tif 000004